(57)【特許請求の範囲】
【請求項１】
外周側に内輪軌道面を有している内輪と、
内周側に外輪軌道面及び当該外輪軌道面の軸方向一方側に設けられている第一の肩部を有している外輪と、
前記内輪と前記外輪との間に設けられている複数の玉と、
軸方向一方側の環状部及び当該環状部から軸方向他方側に延びて設けられている複数の柱部を有し周方向で隣り合う前記柱部の間が前記玉を収容するポケットとなる環状の保持器と、備え、
前記保持器の径方向外側面は、前記第一の肩部と隙間を有して対向する対向面と、当該対向面よりも径方向内側に位置し前記柱部が径方向外側に弾性変形した際に前記第一の肩部及び前記外輪軌道面の間の第一の境界部との干渉を防ぐための第一の退避面と、を有し、
前記外輪は、前記外輪軌道面の軸方向他方側に設けられている第二の肩部を更に有し、
前記保持器の径方向外側面は、前記第一の退避面よりも径方向内側に位置し前記柱部が径方向外側に弾性変形した際に前記第二の肩部及び前記外輪軌道面の間の第二の境界部との干渉を防ぐための第二の退避面を、前記柱部の軸方向他方側の端部に有し、
前記第二の退避面は、軸方向一方側から軸方向他方側に向けて縮径し、
前記ポケットは、軸受の径方向の仮想線を中心線とする円筒面に沿った形状であり、
前記保持器は、前記ポケットの軸方向他方側に、当該ポケットよりも狭い間隔で周方向に対向している一対の対向部を有しており、
前記一対の対向部それぞれは、ストレート面を有し、一対の対向する前記ストレート面は平行であり、その間隔は前記玉の直径よりも小さく、
前記柱部は、前記対向部を当該柱部の一部として有していると共に、当該対向部の周方向の変形を阻害する中実部を軸方向他方側に有していて、
前記中実部は、一つの前記柱部が有する二つの前記対向部の間の部分であり、
一対の対向する前記ストレート面から前記柱部の軸方向他方側の端部までの範囲に、軸方向一方側から軸方向他方側に向けて相互の間隔が広くなる一対の傾斜面が形成されている、転がり軸受。
【請求項２】
前記柱部のうち、前記ストレート面と前記傾斜面とが形成されている範囲における径方向内側面は、軸方向一方側から軸方向他方側に向かって拡径している、請求項１に記載の転がり軸受。
【請求項３】
一対の前記傾斜面の間隔は、前記柱部の軸方向他方側の側面の位置で前記玉の直径より大きく、
前記柱部の軸方向他方側の前記側面からの、前記傾斜面の軸方向長さは、前記柱部の軸方向他方側の前記側面からの、前記第二の退避面の軸方向長さよりも長い、請求項１又は２に記載の転がり軸受。
【請求項４】
前記環状部の軸方向一方側の側面は、前記外輪側に向かうにしたがって更に軸方向一方側へ向かう傾斜面を有している、請求項１〜３のいずれか一項に記載の転がり軸受。
【発明の詳細な説明】
【技術分野】
【０００１】
本発明は、転がり軸受に関する。
【背景技術】
【０００２】
各種産業機器には多くの転がり軸受が用いられている。転がり軸受は、内輪、外輪、これら内輪と外輪との間に介在している複数の転動体、及び、これら転動体を保持する保持器を備えている。このような転がり軸受の中でも特に、転動体が玉である玉軸受は回転抵抗が小さい。
【０００３】
回転抵抗には、軸受内部に存在する潤滑油を保持器が撹拌することで生じる成分（撹拌抵抗）が含まれる。このような撹拌抵抗を低減するためには、軸受外部の潤滑油が軸受内部に浸入し難くするのが好ましく、そのために、内輪及び外輪と保持器との隙間を小さくした玉軸受が提案されている（特許文献１参照）。この玉軸受では、保持器が、軸方向一方側の環状部と、この環状部から軸方向他方側に延びて設けられている複数の柱部とを有する冠型のものであり、環状部の外周面と外輪の肩部との隙間を小さくし、更に、環状部の内周面と内輪の肩部との隙間を小さくしている。
【０００４】
なお、冠型の保持器は、玉を収容するポケットを周方向に複数有しており、内輪と外輪との間に介在している複数の玉に対して保持器を組み付けるために、ポケットの軸方向他方側は開口している。また、この開口の幅は玉の直径よりも狭くなっており、玉がポケットに一旦収容された状態になると、保持器が玉軸受から脱落するのを防ぐことができる。
【先行技術文献】
【特許文献】
【０００５】
【特許文献１】特開２００９−２８１５８５号公報
【発明の概要】
【発明が解決しようとする課題】
【０００６】
前記のように、内輪及び外輪と保持器の環状部との隙間を小さくすることで、潤滑油が軸受内部に浸入し難くなり、潤滑油の撹拌抵抗を低減することが可能となる。しかし、このように構成した保持器の場合、内輪と外輪との間に介在している複数の玉に対して組み付ける作業が難しくなる。
【０００７】
すなわち、保持器を組み付ける作業は、次のようにして行われる。先ず、内輪と外輪との間に複数の玉を介在させた状態とする。次に、複数の玉に対して保持器を軸方向から接近させ、更に保持器を軸方向に押して、保持器の各ポケットに玉を一つずつ収容した状態とする。玉をポケットに収容させる際、前記のとおり、ポケットにおける開口の幅は玉の直径よりも狭くなっているため、保持器の柱部は玉に押されて径方向外側に弾性変形する。柱部が径方向外側に弾性変形すると、この柱部の一部が外輪に干渉することがあり、保持器の組み付けが困難となる。なお、玉をポケットに収容させる際、柱部が玉に押されて径方向内側に弾性変形する場合、この柱部の一部は内輪に干渉し、やはり保持器の組み付けが困難となる。
【０００８】
そこで、保持器の一部が外輪（内輪）と隙間を有して対向する転がり軸受において、保持器の組み付けが容易となる転がり軸受を提供することを目的とする。
【課題を解決するための手段】
【０００９】
本発明の転がり軸受は、外周側に内輪軌道面を有している内輪と、内周側に外輪軌道面及び当該外輪軌道面の軸方向一方側に設けられている肩部を有している外輪と、前記内輪と前記外輪との間に設けられている複数の玉と、軸方向一方側の環状部及び当該環状部から軸方向他方側に延びて設けられている複数の柱部を有し周方向で隣り合う前記柱部の間が前記玉を収容するポケットとなる環状の保持器と、を備え、前記保持器の径方向外側面は、前記肩部と隙間を有して対向する対向面と、当該対向面よりも径方向内側に位置し前記柱部が径方向外側に弾性変形した際に前記肩部及び前記外輪軌道面の間の境界部との干渉を防ぐための退避面と、を有している。
この転がり軸受によれば、保持器（前記対向面）が外輪の肩部と隙間を有して対向する構成であり、この保持器を、複数の玉が設けられている内輪と外輪との間に組み付ける際、保持器の柱部が径方向外側に弾性変形するが、前記退避面によって保持器が外輪の前記境界部と干渉するのを防ぐことで、保持器の組み付けが容易となる。
【００１０】
また、前記保持器は、前記ポケットの軸方向他方側に、当該ポケットよりも狭い間隔で周方向に対向している一対の対向部を有しており、前記柱部は、前記対向部を当該柱部の一部として有していると共に、当該対向部の周方向の変形を阻害する中実部を軸方向他方側に有しているのが好ましい。
この場合、柱部の軸方向他方側は対向部及び中実部を含む中実構造を有する構成となり、保持器（柱部）の軸方向他方側は周方向に変形し難くなる。このため、一旦ポケットに玉が収容されると、玉とポケットとが外れ難くなる。そして、前記のような保持器の構成によれば、保持器（柱部）の軸方向他方側は周方向に変形し難いことから、転がり軸受の組み立てにおいて、玉をポケットに収容させる際、柱部は玉に押されて径方向外側に弾性変形しやすくなる。しかし、前記転がり軸受によれば、柱部が弾性変形しても、前記退避面により保持器が外輪と干渉するのを防ぐことができる。
以上より、保持器の組み付けは容易であると共に、一旦、保持器が組み付けられると、外れにくくなる構成が得られる。
【００１１】
また、前記外輪は、前記外輪軌道面の軸方向他方側に設けられている第二の肩部を更に有し、前記保持器は、前記退避面よりも径方向内側に位置し前記柱部が径方向外側に弾性変形した際に前記第二の肩部及び前記外輪軌道面の間の第二の境界部との干渉を防ぐための第二の退避面を更に有しているのが好ましい。
この場合、保持器の組み付けの際、第二の肩部側においても保持器が外輪に干渉するのを防ぐことができる。
【００１２】
また、前記環状部の軸方向一方側の側面は、前記外輪側に向かうにしたがって更に軸方向一方側へ向かう傾斜面を有しているのが好ましい。
この場合、軸受が回転することで潤滑油が遠心力によって内輪側から外輪側へ流れるが、この際、その潤滑油は前記傾斜面に沿って流れ、軸受内部に潤滑油が浸入するのを抑制する作用を高めることができる。これにより、軸受内部における潤滑油の撹拌抵抗を低減し、軸受の回転性能を高めることが可能となる。そして、保持器の組み付けの際、環状部の軸方向一方側の側面を押すが、この際、傾斜面を押すと柱部が弾性変形を伴いながら傾いて径方向外側に向きやすい。これにより、保持器の径方向外側面が外輪に干渉しやすくなるが、前記退避面によりその干渉を防ぐことができる。
【００１３】
また、本発明の転がり軸受は、外周側に内輪軌道面及び当該内輪軌道面の軸方向一方側に設けられている肩部を有している内輪と、内周側に外輪軌道面を有している外輪と、前記内輪と前記外輪との間に設けられている複数の玉と、軸方向一方側の環状部及び当該環状部から軸方向他方側に延びて設けられている複数の柱部を有し周方向で隣り合う前記柱部の間が前記玉を収容するポケットとなる環状の保持器と、を備え、前記保持器の径方向内側面は、前記肩部と隙間を有して対向する対向面と、当該対向面よりも径方向外側に位置し前記柱部が径方向内側に弾性変形した際に前記肩部及び前記内輪軌道面の間の境界部との干渉を防ぐための退避面と、を有している。
この転がり軸受によれば、保持器（前記対向面）が内輪の肩部と隙間を有して対向する構成であり、この保持器を、複数の玉が設けられている内輪と外輪との間に組み付ける際、保持器の柱部が径方向内側に弾性変形するが、前記退避面によって保持器が内輪の前記境界部と干渉するのを防ぐことで、保持器の組み付けが容易となる。
【発明の効果】
【００１４】
本発明によれば、複数の玉が設けられている内輪と外輪との間に、保持器を組み付ける際、保持器の柱部が径方向に弾性変形するが、保持器が有する退避面によって外輪（内輪）と干渉するのを防ぐことができ、保持器の組み付けが容易となる。
【図面の簡単な説明】
【００１５】
【図１】本発明の転がり軸受の実施の一形態を示す断面図である。
【図２】保持器を示す説明図であり、保持器を半分に切断した状態を示している。
【図３】保持器のポケット及びその周囲を示す説明図である。
【図４】ポケット及びその周囲を径方向外側から見た図である。
【図５】他の形態の転がり軸受を示す断面図である。
【発明を実施するための形態】
【００１６】
以下、本発明の実施の形態を図面に基づいて説明する。
図１は、本発明の転がり軸受の実施の一形態を示す断面図である。この転がり軸受１０は、内輪１１と、外輪１２と、これら内輪１１と外輪１２との間に設けられている複数の玉（転動体）１３と、これら玉１３を周方向に間隔をあけて保持する環状の保持器１４とを備えている。内輪１１、外輪１２及び玉１３は、軸受鋼や炭素鋼からなる。本実施形態の保持器１４は樹脂製からなり、金型を用いた射出成形により製造できる。保持器１４を樹脂製とすることで、後に説明する退避面４１，４２等を含む段付き形状を形成するのが容易である。
【００１７】
図１に示す転がり軸受１０は深溝玉軸受である。内輪１１は円筒状の部材であり、その外周側に、玉１３が転動する凹溝状の内輪軌道面５１が設けられている。更に、内輪１１には、内輪軌道面５１の軸方向一方側に第一の肩部５３が設けられており、また、内輪軌道面５１の軸方向他方側に第二の肩部５４が設けられている。本実施形態では、両肩部５３，５４の外径は同じである。
【００１８】
外輪１２は円筒状の部材であり、その内周側に、玉１３が転動する凹溝状の外輪軌道面５２が設けられている。更に、外輪１２には、外輪軌道面５２の軸方向一方側に第一の肩部５５が設けられており、また、外輪軌道面５２の軸方向他方側に第二の肩部５６が設けられている。本実施形態では、両肩部５５，５６の内径は同じである。
【００１９】
複数の玉１３は、内輪１１と外輪１２との間に形成されている環状空間１５に設けられており、転がり軸受１０が回転すると（本実施形態では内輪１１が回転すると）、これら玉１３は保持器１４によって保持された状態で内輪軌道面５１と外輪軌道面５２とを転動する。
【００２０】
図２は、保持器１４を示す説明図であり、保持器１４を半分に切断した状態を示している。図３は、保持器１４のポケット２０及びその周囲を示す説明図である。図４は、ポケット２０及びその周囲を径方向外側から見た図である。保持器１４は、複数の玉１３を周方向に沿って所定間隔（等間隔）をあけて保持することができ、このために、保持器１４には玉１３を保持するポケット２０が周方向に沿って複数形成されている。本実施形態の保持器１４は、いわゆる冠型保持器であり、玉１３の軸方向一方側（図１及び図２では右側）に設けられている環状部２１と、この環状部２１から軸方向他方側（図１及び図２では左側）に延びて設けられている複数の柱部２２とを有している。環状部２１の軸方向他方側であって周方向で隣り合う一対の柱部２２，２２の間の空間が、玉１３を収容するポケット２０となる。
【００２１】
本実施形態において、軸方向とは、転がり軸受１０の中心線Ｃ０（図１参照）に平行な方向である。この中心線を軸受中心線Ｃ０という。内輪１１、外輪１２及び保持器１４の中心線は、軸受中心線Ｃ０と一致する。また、転がり軸受１０の径方向を軸受径方向という。図１及び図３において、二点鎖線で示す仮想線Ｃ１は、軸受中心線Ｃ０に直交しており、この仮想線Ｃ１に沿う方向が軸受径方向となる。
【００２２】
図２〜図４に示すように、保持器１４のポケット２０は、仮想の円筒面に沿った形状であるポケット面２５を有している。この円筒面は、前記軸受径方向の仮想線Ｃ１を中心線とする面である。つまり、ポケット面２５を構成している前記円筒面の中心線は仮想線Ｃ１と一致している。
【００２３】
図４に示すように、前記円筒面の直径Ｄは、玉１３の直径ｄよりも僅かに大きい。このため、ポケット面２５と玉１３との間には隙間が形成され、この隙間により、玉１３に対して保持器１４は僅かに変位することができる。そして、玉１３は球体であることから、円筒面に沿った形状であるポケット面２５に点接触することができる。
【００２４】
図３に示すように、環状部２１の外周面は、外輪１２の肩部５５の内周面１９と微小隙間を有して対向しており、保持器１４が径方向に変位することで、この環状部２１の外周面は肩部５５の内周面１９に接触可能となる。つまり、環状部２１の前記外周面は、肩部５５の内周面１９と隙間を有しており、この内周面１９と接触可能な対向面２４となる。以上より、本実施形態の保持器１４は、外輪１２によって径方向の位置決めがされる外輪案内のものである。
【００２５】
図１及び図３に示すように、環状部２１の軸方向一方側の側面は、軸受中心線Ｃ０に直交する円環状の面６２と、傾斜面６１とを有している。傾斜面６１は、外輪１２側に向かうにしたがって軸方向一方側へ向かう面（テーパ状の面）である。後にも説明するが、転がり軸受１０の組み立てにおいて、玉１３に対して保持器１４を組み付ける際、円環状の面６２は、治具等によって押される面となる。また、傾斜面６１についても、押される面となる場合がある。
【００２６】
図４において、保持器１４は、ポケット２０の軸方向他方側に、一対の対向部３１，３２を有している。一対の対向部３１，３２は、前記円筒面に沿った形状であるポケット面２５の直径Ｄよりも小さい間隔Ｗをあけて周方向に対向している。周方向一方側の対向部３１は、周方向他方側に臨むストレート面３３を有しており、また、周方向他方側の対向部３２は、周方向一方側に臨むストレート面３４を有している。一方側のストレート面３３と他方側のストレート面３４とは平行であり、両者は間隔Ｗをあけて対向している。周方向で隣り合う柱部２２，２２の先部側（軸方向他方側）において、周方向の間隔はストレート面３３，３４の間で最も小さく（狭く）なっている。このように、ポケット２０は軸方向他方側において開口しており、このポケット２０における開口の幅（Ｗ）は玉１３の直径ｄよりも狭くなっている。以上より、本実施形態の保持器１４では、一対の対向部３１，３２それぞれは、互いに平行となるストレート面３３，３４を有している構成となる。
【００２７】
ここで、転がり軸受１０（図１参照）において保持器１４を組み付ける作業について説明する。その作業は次のようにして行われる。先ず、内輪１１と外輪１２との間に複数の玉１３を介在させた状態とする。次に、複数の玉１３に対して保持器１４を軸方向一方側から接近させ、保持器１４の環状部２１を軸方向一方側から他方側に向かって押し、保持器１４の各ポケット２０に玉１３を一つずつ収容した状態とする。
【００２８】
このようにポケット２０に玉１３を収容させる際、前記のとおり、ポケット２０における開口の幅（Ｗ：図３参照）は玉１３の直径ｄよりも狭くなっているため、保持器１４の柱部２２は玉１３に押されて径方向外側に弾性変形する。
【００２９】
図３により、保持器１４の径方向外側面４０の形状について更に説明する。この径方向外側面４０は、前記対向面２４を有している他に、第一退避面４１を有している。本実施形態では、更に、軸方向他方側（柱部２２の先部側）に第二退避面４２を有しており、また、第一退避面４１と第二退避面４２とを繋いでいる中間面４３を有している。
【００３０】
対向面２４は、前記のとおり、環状部２１の外周面であり、軸受中心線Ｃ０を中心とする円筒面からなる。
第一退避面４１は、対向面２４と連続する面であり、軸方向他方側に向かうにしたがって径方向内側に向かう傾斜面からなる。第一退避面４１は、対向面２４よりも径方向内側に位置している。第一退避面４１は、肩部５５の内周面１９と外輪軌道面５２との間の第一の境界部５７と対向する位置に設けられている。第一退避面４１は、柱部２２が径方向外側に変形しても、第一の境界部５７と対向して、この境界部５７と非接触となる。
中間面４３は、第一退避面４１と連続する面であり、軸受中心線Ｃ０（図１参照）を中心とする円筒面に沿った面からなる。中間面４３は、対向面２４よりも径方向内側に位置している。中間面４３は、外輪軌道面５２と対向する位置に設けられている。
第二退避面４２は、中間面４３と連続する面であり、軸方向他方側に向かうにしたがって径方向内側に向かう傾斜面からなる。第二退避面４２は、第一退避面４１及び中間面４３よりも径方向内側に位置している。第二退避面４２は、柱部２２が径方向外側に変形しても、肩部５６の内周面１８と外輪軌道面５２との間の第二の境界部５８と対向して、この境界部５８と非接触となる位置に設けられている。
【００３１】
本実施形態では、第一退避面４１、中間面４３及び第二退避面４２それぞれは、柱部２２の径方向外側の面の一部からなる。以上のように、保持器１４の径方向外側面４０は、軸方向一方側から他方側に向かって、段階的に径方向寸法が小さくなる段付き形状を有している。
【００３２】
また、保持器１４は、前記のとおり（図４参照）、ポケット２０の軸方向他方側に、一対の対向部３１，３２を有しており、これら対向部３１，３２は、ポケット２０よりも狭い間隔Ｗ（ポケット２０の直径Ｄよりも小さい間隔Ｗ）で周方向に対向している。そして、図２に示すように、各柱部２２は、二つの対向部３１，３２をこの柱部２２の一部として有している。更に、各柱部２２は、軸方向他方側に中実部３７を有しており、中実部３７は、この柱部２２に含まれる二つの対向部３１，３２の周方向の変形（柱部２２を周方向に圧縮する方向の変形）を阻害する機能を有している。中実部３７は、一対の対向部３１，３２の間の部分であり、これら中実部３７及び一対の対向部３１，３２は柱部２２の一部として一体となって形成されている。
【００３３】
この構成によれば、各柱部２２の軸方向他方側は、対向部３１，３２及び中実部３７を含む中実構造を有する構成となる。このため、保持器１４（柱部２２）の軸方向他方側は周方向に圧縮変形し難くなり、一旦ポケット２０に玉１３が収容されると、玉１３とポケット２０とが外れ難くなる。
また、前記のような保持器１４の構成によれば、保持器１４（柱部２２）の軸方向他方側は周方向に圧縮変形し難いことから、転がり軸受１０の組み立てにおいて、玉１３をポケット２０に収容させる際、柱部２２は玉１３に押されて径方向外側に弾性変形しやすくなる。
【００３４】
図１及び図３に示すように、外輪案内の保持器１４の場合、柱部２２が径方向外側に弾性変形すると、保持器１４の一部が外輪１２と干渉しやすい。そこで、本実施形態の転がり軸受１０では、このような干渉を防ぐための構成として、保持器１４の径方向外側面４０は、前記第一退避面４１を備えている。
【００３５】
すなわち、保持器１４の径方向外側面４０は、肩部５５の内周面１９と隙間を有して対向する対向面２４を有している他に、この対向面２４よりも径方向内側に位置している第一退避面４１を有している。第一退避面４１は、対向面２４よりも径方向内側に位置する面となっているため、保持器１４の径方向外側面４０の一部と、前記第一の境界部５７との間隔を、肩部５５の内周面１９と対向面２４との間隔よりも、大きくすることができる。このため、転がり軸受１０の組み立てにおいて、柱部２２が径方向外側に弾性変形した際に、保持器１４が前記第一の境界部５７に干渉するのを防ぐことができる。
【００３６】
これにより、保持器１４を、複数の玉１３が設けられている内輪１１と外輪１２との間に組み付ける際、柱部２２が径方向外側に弾性変形するが、第一退避面４１によって保持器１４が外輪１２の前記境界部５７と干渉するのを防ぐことで、保持器１４の組み付けが容易となる。
【００３７】
また、本実施形態では、図４に示すように、対向する一対の対向部３１，３２は、ストレート面３３，３４の軸方向他方側において、更に、軸方向他方側に向かうにしたがって相互の間隔が広くなる傾斜面３５，３６を有している。保持器１４を玉１３に組み付ける際、この傾斜面３５，３６により保持器１４がガイドされ、保持器１４（ポケット２０）を玉１３に組み込みやすくしている。
【００３８】
図１及び図３に示すように、保持器１４の柱部２２の軸方向他方側の先端は、前記第二の境界部５８よりも、更に軸方向他方側に位置している。そして、保持器１４は、第一退避面４１及び中間面４３よりも径方向内側に位置している第二退避面４２を更に有している。この第二退避面４２によれば、転がり軸受１０の組み立てにおいて、柱部２２が径方向外側に弾性変形した際に、保持器１４が軸方向他方側の先部において第二の境界部５８と干渉するのを防ぐことができる。このように、保持器１４の組み付けの際、第二の肩部５６側においても保持器１４が外輪１２に干渉するのを防ぐことで、保持器１４の組み付けが容易となる。
【００３９】
また、前記のとおり、柱部２２それぞれは、各柱部２２が有している対向部３１，３２の周方向の変形（柱部２２を周方向に圧縮する方向の変形）を阻害する中実部３７を軸方向他方側に有しており、一旦、保持器１４が転がり軸受１０に組み付けられると、玉１３とポケット２０とが外れ難くなる。
以上より、前記第一退避面４１（及び前記第二退避面４２）によって保持器１４の組み付けは容易であると共に、一旦、保持器１４が組み付けられると、外れにくくなる構成が得られる。
【００４０】
本実施形態では（図３参照）、保持器１４の環状部２１と外輪１２の肩部５５との隙間を小さくしていることで、軸方向一方側から軸受内部に潤滑油が浸入するのを抑制している。更に、環状部２１の軸方向一方側において、傾斜面６１は、外輪１２側に向かうにしたがって軸方向一方側へ向かう面となっている。このため、転がり軸受１０（内輪１１）が回転することで潤滑油が遠心力によって内輪１１側から外輪１２側へ流れるが、この際、その潤滑油は傾斜面６１に沿って流れ、環状部２１と肩部５５との隙間から軸方向一方側に遠のく速度成分を有することができ、軸受内部に潤滑油が浸入するのを抑制する作用を高めることができる。これにより、軸受内部における潤滑油の撹拌抵抗を低減し、転がり軸受１０の回転性能を高めることが可能となる。
【００４１】
転がり軸受１０の組み立てのために、保持器１４のポケット２０に玉１３を収容させる際、環状部２１が治具等によって軸方向他方側に向かって押される。特に、環状部２１が有する軸方向一方側の円環状の面６２が押される面となるが、傾斜面６１も押される場合がある。傾斜面６１が軸方向他方側に向けて押されると、柱部２２は弾性変形を伴いながら傾いて径方向外側に向きやすい。これにより、保持器１４の径方向外側面４０が外輪１２に干渉しやすくなるが、前記実施形態によれば、第一退避面４１（及び第二退避面４２）によりその干渉を防ぐことができる。
【００４２】
前記実施形態では、保持器１４の径方向外側面４０が、第一退避面４１の他に、第二退避面４２も有している場合について説明したが、例えば、保持器１４の柱部２２の軸方向他方側の先端が、前記第二の境界部５８よりも軸方向一方側に位置している場合、その保持器１４は、軸方向他方側において外輪１２と干渉するおそれがない。この場合、第二退避面４２を省略することができる。
【００４３】
図５は、他の形態の転がり軸受を示す断面図である。前記実施形態（図１）では、保持器１４を、内輪１１及び外輪１２の間に介在している複数の玉１３に組み付ける際、保持器１４の柱部２２は径方向外側に弾性変形する場合を説明している。これに対して、図５に示す転がり軸受１０は、柱部２２が径方向内側に弾性変形する場合の軸受である。
図５に示す転がり軸受１０と、図１に示す転がり軸受１０とでは、内輪１１、外輪１２、及び玉１３の構成は同じであり、保持器８４の構成が異なる。
【００４４】
図５に示す形態では、保持器８４は、環状の部材であり、軸方向一方側の環状部７１と、この環状部７１から軸方向他方側に延びて設けられている複数の柱部７２とを有している。周方向で隣り合う柱部７２，７２の間が玉１３を収容するポケット７０となる。保持器８４の径方向内側面７９は、内輪１１の肩部５３の外周面６０と隙間を有して対向している対向面８０と、この対向面８０よりも径方向外側に位置している（第一の）退避面８１とを有している。この退避面８１は、保持器８４の組み付けのために柱部７２が径方向内側に弾性変形した際、肩部５３の外周面６０及び内輪軌道面５１の間の境界部５９との干渉を防ぐ。
【００４５】
図５に示す形態においても、保持器８４は、軸方向他方側に、第二の退避面８２を有している。また、図５に示す保持器８４は、図１に示す保持器１４の外周側と内周側とを反対にした形状であり、図１に示す保持器１４が有している構成を、図５に示す保持器８４に（反対にして）適用することができる。
【００４６】
図５に示す転がり軸受１０によれば、保持器８４（対向面８０）が内輪１１の肩部５３と隙間を有して対向する構成であり、この保持器８４を、複数の玉１３が設けられている内輪１１と外輪１２との間に組み付ける際、保持器８４の柱部７２が径方向内側に弾性変形するが、退避面８１によって保持器８４が内輪１１の前記境界部５９と干渉するのを防ぐことで、保持器の組み付けが容易となる。
【００４７】
以上のとおり開示した実施形態はすべての点で例示であって制限的なものではない。つまり、本発明の転がり軸受は、図示する形態に限らず本発明の範囲内において他の形態のものであってもよい。
【符号の説明】
【００４８】
１０：転がり軸受          １１：内輪                １２：外輪
１３：玉                  １４：保持器              ２０：ポケット
２１：環状部              ２２：柱部                ２４：対向面
３１：対向部              ３２：対向部              ３７：中実部
４０：径方向外側面        ４１：第一退避面          ４２：第二退避面
５１：内輪軌道面          ５２：外輪軌道面          ５３：第一の肩部
５４：第二の肩部          ５５：第一の肩部          ５６：第二の肩部
５７：第一の境界部        ５８：第二の境界部        ５９：第一の境界部
６１：傾斜面              ７０：ポケット            ７１：環状部
７２：柱部                ７９：径方向内側面        ８０：対向面
８１：第一の退避面        ８２：第二の退避面        ８４：保持器
【図１】
0006759584.tif 000002
【図２】
0006759584.tif 000003
【図３】
0006759584.tif 000004
【図４】
0006759584.tif 000005
【図５】
0006759584.tif 000006